(57)【要約】【課題】簡単な構造により、回動リング部を所望の回動位置に固定するための異物の差込行為を確実に防止することができる遊技機用の操作ハンドルを提供すること。【解決手段】遊技機用の操作ハンドル１は、遊技機の前面パネルに固定する本体ベース部（固定ベース部）２と、本体ベース部２の中心軸線Ｃの回りに回動操作して、遊技球の発射強度を調節するための回動リング部３とを有している。本体ベース部２と回動リング部３との間の全周には、中心軸線Ｃの方向に対して傾斜する傾斜間隙５Ａが設けてある。回動リング部３において、傾斜間隙５Ａの開口部５１の傾斜方向に沿った外方の全周には、傾斜間隙５Ａの開口部５１への異物の差込行為を防止するための差込防止壁６Ａが設けてある。【選択図】図２
2008264132.tif 000002
【特許請求の範囲】
【請求項１】
固定ベース部と、該固定ベース部の中心軸線回りに回動操作して、遊技球の発射強度を調節するための回動リング部と、該回動リング部を初期位置へ回動するよう付勢する付勢部材とを有する遊技機用の操作ハンドルにおいて、
上記固定ベース部と上記回動リング部との間の全周には、上記中心軸線の方向に対して傾斜する傾斜間隙が設けてあり、
上記固定ベース部又は上記回動リング部において、上記傾斜間隙の開口部の傾斜方向に沿った外方の全周には、該傾斜間隙の開口部への異物の差込行為を防止するための差込防止壁が設けてあることを特徴とする遊技機用の操作ハンドル。
【発明の詳細な説明】
【技術分野】
【０００１】
本発明は、遊技機における遊技球の発射強度を調節するための操作ハンドルに関する。
【背景技術】
【０００２】
パチンコ遊技機等の遊技機において、遊技領域への遊技球の発射強度を調節する操作ハンドルにおいては、固定ベース部に対して回動リング部を回動操作させる際に過度の摩擦を発生させないために、構造上、両者の間に適度な隙間を設ける必要がある。また、操作ハンドルは、複数の部品を組み付けて構成される。そのため、操作ハンドルにおいて、各部品の寸法公差等によるガタツキ（遊び部分）が生じ、それが隙間となって存在することになる。
【０００３】
また、通常、回動式の操作ハンドルには、上記回動リング部を初期位置へ戻すための戻りバネが設けられている。そして、遊技者は、戻りバネによる付勢力に抗して回動リング部を回動させる。このとき、狙いとする遊技球の発射強度を維持するためには、回動リング部を所定の回動位置に保持する必要があり、この保持を行うために戻りバネによる付勢力が常に遊技者の手に加わることになる。そのため、遊技者は、固定ベース部と回動リング部との隙間に、コイン等の異物を挿入して、回動リング部を所定の回動位置に固定する行為を行いたくなる。
【０００４】
パチンコ遊技機等の遊技機において、遊技領域への遊技球の発射強度を調節する操作ハンドルとしては、例えば、特許文献１に開示されたものがある。この特許文献１の弾球遊技機においては、発射装置の打撃力を調整する回動可能な回動リングと他の部材との隙間に、コイン又は遊技球を挿入して回動リングを固定する行為を阻止する固定阻止部材を設けることが開示されている。そして、特許文献１においては、回動リングの固定行為をなくし遊技の健全化に資すると共に、固定行為に起因するハンドルの破損を防止する工夫を行っている。
【０００５】
しかしながら、コイン等の異物によって回動リングを所望の回動位置に固定する行為を防止するためには、上記特許文献１によっても十分ではない。すなわち、特許文献１においては、回動リングの固定行為を防止する具体的な構造としては、回動リングの最外周部の後方において長さの長い部分と長さの短い部分とによって形成した二重環に、ハンドルの本体の外周部が嵌り込むと共に、回動リングの前面側（反対側）に、突起を形成した構造が開示されている。そのため、特許文献１においては、ハンドルの外周側からは、コイン等の異物を、回動リングと本体との間の隙間及び回動リングとキャップ部との間の隙間へ差し込む（回動リングの回動軸に対して垂直方向に差し込む）ことはできない。
【０００６】
ところが、特許文献１においては、上記長さの長い部分と本体の外周部との間に形成された隙間には、ハンドルの後方からコイン等の異物を差し込む（回動リングの回動軸に対して水平方向に差し込む）ことが可能になってしまう。また、異物を、長さの長い部分と本体の外周部との間で、所定の面積で面接触させることが可能になり、大きな摩擦力を有するように異物を挿入することが可能になってしまう（二次的な隙間が発生してしまう）。
したがって、コイン等の異物によって回動リングを所望の回動位置に固定する行為を確実に防止するためには、更なる工夫が必要とされる。
【０００７】
【特許文献１】特開２００１−１７０２６７号公報
【発明の開示】
【発明が解決しようとする課題】
【０００８】
本発明は、かかる従来の問題点に鑑みてなされたもので、簡単な構造により、回動リング部を所望の回動位置に固定するための異物の差込行為を確実に防止することができる遊技機用の操作ハンドルを提供しようとするものである。
【課題を解決するための手段】
【０００９】
本発明は、固定ベース部と、該固定ベース部の中心軸線回りに回動操作して、遊技球の発射強度を調節するための回動リング部と、該回動リング部を初期位置へ回動するよう付勢する付勢部材とを有する遊技機用の操作ハンドルにおいて、
上記固定ベース部と上記回動リング部との間の全周には、上記中心軸線の方向に対して傾斜する傾斜間隙が設けてあり、
上記固定ベース部又は上記回動リング部において、上記傾斜間隙の開口部の傾斜方向に沿った外方の全周には、該傾斜間隙の開口部への異物の差込行為を防止するための差込防止壁が設けてあることを特徴とする遊技機用の操作ハンドルにある（請求項１）。
【００１０】
本発明の遊技機用の操作ハンドルにおいては、固定ベース部と回動リング部との間の全周に、固定ベース部の中心軸線の方向に対して傾斜する傾斜間隙を設けている。つまり、固定ベース部と回動リング部との間の隙間を傾斜状に設けている。そして、この傾斜間隙の開口部の傾斜方向に沿った外方の全周には、上記差込防止壁を設けている。これにより、遊技者等が、付勢部材により回動リング部が初期位置へ戻ることを回避するために、傾斜間隙の開口部へコイン等の異物を差し込もうとしても、差込防止壁が邪魔をして、この差込行為をできなくすることができる。また、本発明においては、上記傾斜間隙と差込防止壁とを形成した簡単な構造で、上記差込行為を防止することができる。
【００１１】
また、本発明の操作ハンドルにおいては、傾斜間隙の形成方向と、差込防止壁の面方向とが鈍角状に交錯する（末広がり状に形成される）。これにより、傾斜間隙の開口部へ異物を差し込もうとしても、この異物を、傾斜間隙を形成する部分に面接触させることができず、傾斜間隙を形成する部分に十分な摩擦力を発生させることができない（二次的な隙間が発生しない）。そのため、傾斜間隙を使用して回動リング部を所望の回動位置に固定することができなくすることができる。
また、差込防止壁は、傾斜間隙の開口部に沿って操作ハンドルの全周に設けられているため、操作ハンドルの全周に渡って異物の差込行為を防止することができる。
【００１２】
それ故、本発明の遊技機用の操作ハンドルによれば、簡単な構造により、回動リング部を所望の回動位置に固定するための異物の差込行為を確実に防止することができる。
【発明を実施するための最良の形態】
【００１３】
上述した本発明における好ましい実施の形態につき説明する。
本発明において、上記固定ベース部は、遊技機の前面パネルに固定する本体ベース部とすることができる。また、上記固定ベース部は、上記操作ハンドルの前面側を覆うキャップ部とすることもできる。また、上記固定ベース部は、上記本体ベース部及びキャップ部とすることもできる。
【００１４】
上記傾斜間隙は、上記固定ベース部と上記回動リング部とのいずれか一方の外周面の全周に上記固定ベース部の中心軸線の方向に対して傾斜して形成した傾斜外周面と、他方の全周に該傾斜外周面に対向して形成した傾斜内周面との間に設けることができる。
また、上記回動リング部は、上記操作ハンドルの前面側を覆うキャップ部と一体化することができる。
【００１５】
また、上記差込防止壁は、上記固定ベース部の全周に突出する突起部によって形成することができる。また、上記差込防止壁は、上記固定ベース部の前方部分の全周に対して、後方部分の全周を径方向外方に突出させることによって該前方部分と該後方部分との間に形成された段差部によって形成することもできる。
また、上記差込防止壁は、上記固定ベース部の中心軸線に対して垂直方向に設けることができ、また、上記傾斜間隙の開口部への異物の差込行為を防止できれば中心軸線に対してどの方向に設けることもできる。
【実施例】
【００１６】
以下に、本発明の遊技機用の操作ハンドルにかかる実施例につき図面と共に説明する。
本例の遊技機用の操作ハンドル１は、図１、図２に示すごとく、遊技機１０の本体枠に設けられた前面パネル１１に固定する本体ベース部（本例の固定ベース部）２と、この本体ベース部２の中心軸線Ｃの回りに回動操作して、遊技球の発射強度を調節するための回動リング部３とを有している。
本体ベース部２と回動リング部３との間の全周には、中心軸線Ｃの方向に対して傾斜する傾斜間隙５Ａが設けてある。回動リング部３において、傾斜間隙５Ａの開口部５１の傾斜方向に沿った外方の全周には、傾斜間隙５Ａの開口部５１への異物の差込行為を防止するための差込防止壁６Ａが設けてある。
なお、図１、図２、図４〜図６において、遊技機１０の前方側を矢印Ｆによって示す。
【００１７】
以下に、本例の遊技機用の操作ハンドル１につき、図１〜図６と共に詳説する。
図１に示すごとく、本例の操作ハンドル１は、遊技機（パチンコ遊技機）１０における球皿１２を配設する前面パネル１１から前方に起立して配設される。
図２に示すごとく、本例の回動リング部３は、操作ハンドル１の前面側を覆うキャップ部４と一体化してある。本例の本体ベース部２は、前面パネル１１の前方へ起立した軸状部分として形成してある。そして、本例の操作ハンドル１は、本体ベース部２に対して、回動リング部３及びキャップ部４の全体を回動させるよう構成してある。
また、回動リング部３は、その内部に位置する部分が、キャップ部４の内側に設けた補助部材４２と、本体ベース部２との間に挟持された状態で回動するよう構成してある。
【００１８】
同図に示すごとく、本例の回動リング部３の外周部における後方部分３２Ａの全周には、後方に向けて縮径する傾斜外周面３５Ａが形成してある。一方、本例の本体ベース部２の外周部における前方部分２２Ａの全周には、傾斜外周面３５Ａの外周側に対向し、傾斜外周面３５Ａに沿った形状の傾斜内周面２５Ａが形成してある。そして、本例の傾斜間隙５Ａは、傾斜外周面３５Ａと傾斜内周面２５Ａとの間に形成されている。
また、本例の差込防止壁６Ａは、回動リング部３の後方面３０２によって形成されている。回動リング部３は、その全周において本体ベース部２の外周部における前方端部２２１よりも径方向外方に突出している。また、回動リング部３の外周には、遊技者の指を係止することができる複数の操作用突起３１が周方向の適宜箇所に形成してある。
【００１９】
図２、図３に示すごとく、操作ハンドル１内には、回動リング部３又はキャップ部４に、遊技者が接触したことを検出するためのタッチセンサ７１が設けてある。また、本体ベース部２、回動リング部３及びキャップ部４は、合成樹脂からなり、回動リング部３の表面及びキャップ部４の表面の適宜箇所には、導電性を有する金属めっきが施してある。
タッチセンサ７１の検出部は、上記回動リング部３の表面及びキャップ部４の表面の適宜箇所に施した金属めっきと導通してある。そして、遊技機１０（図１参照）の遊技者が、この金属めっきに接触しているときには、遊技者における静電容量を検出して、遊技者が操作ハンドル１に接触していることを検知することができる。
【００２０】
操作ハンドル１内には、回動リング部３を遊技球の発射強度を弱める方向に付勢する（初期位置の方向に付勢する）ねじりコイルバネ７２が配設してある。また、操作ハンドル１内には、回動リング部３の回動操作量を検出するための回動量センサ７３が配設してある。この回動量センサ７３は、可変抵抗器によって構成してあり、その検出軸が、回動リング部３及びキャップ部４の中心部に連結した軸部３３と連結してある。そして、遊技機１０における制御装置は、回動リング部３の回動操作量に応じて、遊技機１０における球発射装置を操作して、遊技盤の遊技領域へ発射する遊技球の発射強度を調整することができる。
また、回動リング部３は、円弧状の長孔３６と取付け用のボス２６との係合構造により、所定の角度の範囲内（本例では約１００°の範囲内）で回動操作可能になっている。
【００２１】
また、図３に示すごとく、操作ハンドル１には、回動リング部３を回動操作した状態において、遊技球の発射を停止させることができるストップスイッチ７４が配設してある。このストップスイッチ７４は、遊技者によって操作可能にするために本体ベース部２の外周部に先端部を突出させた操作部７４１と、この操作部７４１による操作状態を検出するスイッチ部７４２とを有している。
【００２２】
本例の遊技機用の操作ハンドル１においては、本体ベース部２と回動リング部３との間の全周に、本体ベース部２の中心軸線Ｃの方向に対して傾斜する傾斜間隙５Ａを設けている。つまり、本体ベース部２と回動リング部３との間の隙間を傾斜状に設けている。そして、この傾斜間隙５Ａの開口部５１の傾斜方向に沿った外方の全周には、上記差込防止壁６Ａを設けている（差込防止壁６Ａは、傾斜間隙５Ａの開口部５１の前方を塞ぐようにして設けている。）。これにより、遊技者等が、付勢部材７２により回動リング部３が初期位置へ戻ることを回避するために、傾斜間隙５Ａの開口部５１へコイン等の異物を差し込もうとしても、差込防止壁６Ａが邪魔をして、この差込行為をできなくすることができる。また、本例においては、傾斜間隙５Ａと差込防止壁６Ａとを形成した簡単な構造で、上記差込行為を防止することができる。
【００２３】
また、本例においては、図２に示すごとく、傾斜間隙５Ａの形成方向Ｇ１と、差込防止壁６Ａの面方向Ｇ２とが鈍角状に交錯する。より具体的には、本体ベース部２の外周面と差込防止壁６Ａとが、平行な形状ではなく、所定の中心角を有する末広がり状（扇状）に形成されている。また、本例においては、本体ベース部２の外周部における前方端部２２１と差込防止壁６Ａとの間に、鋭角θの隙間が形成される。これにより、傾斜間隙５Ａの開口部５１へ異物を差し込もうとしても、この異物を、傾斜間隙５Ａを形成する部分に面接触させることができず、傾斜間隙５Ａを形成する部分に十分な摩擦力を発生させることができない（二次的な隙間が発生しない）。そのため、傾斜間隙５Ａを使用して回動リング部３を所望の回動位置に固定することができなくすることができる。
また、差込防止壁６Ａは、傾斜間隙５Ａの開口部５１に沿って操作ハンドル１の全周に設けられているため、操作ハンドル１の全周に渡って異物の差込行為を防止することができる。
【００２４】
それ故、本例の遊技機用の操作ハンドル１によれば、簡単な構造により、回動リング部３を所望の回動位置に固定するための異物の差込行為を確実に防止することができる。
なお、本例においては、回動リング部３とキャップ部４とを一体化することにより、これらの間には、構造上隙間が発生していない。これにより、回動リング部３とキャップ部４との間への異物の差込行為は生じない。
【００２５】
なお、傾斜間隙５Ａ〜５Ｃは、以下の種々の構造によっても形成することができる。
例えば、図４に示すごとく、本体ベース部２の外周部における前方部分２２Ｂの全周に、前方に向けて縮径する傾斜外周面２５Ｂを形成すると共に、回動リング部３の後方部分３２Ｂの中心部に、回動リング部３の後方面３０２から前方側に向けて陥没する凹部３４を形成することができる。また、この凹部３４の側壁面の全周には、傾斜外周面２５Ｂの外周側に対向し、傾斜外周面２５Ｂに沿った形状の傾斜内周面３５Ｂを形成することができる。そして、傾斜間隙５Ｂは、傾斜外周面２５Ｂと傾斜内周面３５Ｂとの間に形成することができる。
【００２６】
また、この場合には、差込防止壁６Ｂは、本体ベース部２の外周部における前方部分２２Ｂの全周において径方向外方へ突出する突起部２３の前方面とすることができる。また、図示は省略するが、差込防止壁６Ｂは、本体ベース部２の外周部における前方部分２２Ｂの全周に対して、その後方に隣接する部分の全周を径方向外方に突出させることによって、前方部分２２Ｂと後方に隣接する部分との間に形成された段差面とすることもできる。
【００２７】
また、例えば、図５に示すごとく、上記キャップ部４は、本体ベース部２に対して固定し、回動リング部３は、本体ベース部２及びキャップ部４に対して回動操作可能に配設することもできる。この場合には、本体ベース部２とキャップ部４とが上記固定ベース部に相当する。また、この場合には、傾斜間隙及び差込防止壁は、回動リング部３と本体ベース部２との間（５Ａ）、及び回動リング部３とキャップ部４との間（５Ｃ）の両方に形成することができる。
具体的には、回動リング部３と本体ベース部２との間の傾斜間隙５Ａ及び差込防止壁６Ａは、上記実施例１と同様に形成することができる。
【００２８】
また、同図に示すごとく、回動リング部３の前方面３０１の中心部に、この前方面３０１から突出する凸部３４を形成し、この凸部３４の側壁面の全周には、前方に向けて縮径する傾斜外周面３４１を形成することができる。また、キャップ部４の後方部分には、キャップ部４の後方面４０２から前方側に向けて陥没する凹部４１を形成し、この凹部４１の側壁面の全周には、傾斜外周面３４１の外周側に対向し、傾斜外周面３４１に沿った形状の傾斜内周面４５を形成することができる。そして、回動リング部３とキャップ部４との間の傾斜間隙５Ｃは、傾斜外周面３４１と傾斜内周面４５との間に形成することができる。また、差込防止壁６Ｃは、回動リング部３の前方面３０１によって形成することができる。
【００２９】
また、例えば、図６に示すごとく、回動リング部３には、その後方面３０２の全周に、上記傾斜間隙５Ａの開口部５１を外周側から覆う環状突起３５１を設けることもできる。そして、この環状突起３５１と本体ベース部２の外周部における前方端部２２１との間の距離Ｘは、５〜１０ｍｍとすることができる。この場合には、環状突起３５１の形成により、傾斜間隙５Ａの開口部５１へコイン等の異物を差し込むことを一層困難にすることができる。
【００３０】
また、この場合には、環状突起３５１と本体ベース部２の前方端部２２１との間の距離Ｘを５〜１０ｍｍとしたことにより、環状突起３５１と前方端部２２１との間に、コインを差し込んだとしても、これらの間にコインを挟持させることを不可能にすることができる。これにより、環状突起３５１と前方端部２２１との間にコインを差し込んで回動リング部３の回動位置を固定する行為をできなくすることができる。
【００３１】
本実施例の構造は、パチンコ遊技機以外にも、アレンジボール遊技機等その他の遊技機に採用することもできる。
また、上記傾斜間隙５Ａ〜５Ｃの傾斜角度は、中心軸線Ｃに対して３０〜６０°の範囲内で設定することができる。
【００３２】
また、上記傾斜間隙５Ａ〜５Ｃは、操作ハンドル１の全周に円錐形状に形成されている。これにより、傾斜間隙５Ａ〜５Ｃを形成する円錐形状の直径（及び傾斜間隙５Ａ〜５ＣにおけるＲ形状）が、操作ハンドル１の内部（中心）へいくほど小さくなる。そのため、傾斜間隙５Ａ〜５Ｃへコイン等の異物を差し込むことを一層困難にすることができる。
また、本体ベース部２と回動リング部３との間の全周の対向部位（又は回動リング部３とキャップ部４との間の全周の対向部位）に形成する傾斜間隙５Ａ〜５Ｃは、軸方向の全長に渡って形成せず、軸方向における外周側の一部にのみ形成することもできる。そして、この外周側の一部よりも内周側の部位は、中心軸線Ｃに対して傾斜形状、垂直形状、凹凸形状等に形成することができる。
【図面の簡単な説明】
【００３３】
【図１】実施例における、遊技機の前面パネルに配設した操作ハンドルを示す斜視図。
【図２】実施例における、遊技機用の操作ハンドルを、側方から見た状態で示す説明図。
【図３】実施例における、遊技機用の操作ハンドルの内部を、後方から見た状態で示す説明図。
【図４】実施例における、遊技機用の他の操作ハンドルを、側方から見た状態で示す説明図。
【図５】実施例における、遊技機用の他の操作ハンドルを、側方から見た状態で示す説明図。
【図６】実施例における、遊技機用の他の操作ハンドルを、側方から見た状態で示す説明図。
【符号の説明】
【００３４】
１  操作ハンドル
１０  遊技機
２  本体ベース部（固定ベース部）
３  回動リング部
４  キャップ部
５Ａ〜Ｃ  傾斜間隙
５１  開口部
６Ａ〜Ｃ  差込防止壁
Ｃ  中心軸線
【図１】
2008264132.tif 000003
【図２】
2008264132.tif 000004
【図３】
2008264132.tif 000005
【図４】
2008264132.tif 000006
【図５】
2008264132.tif 000007
【図６】
2008264132.tif 000008